Podtech/llm-jp-corpus-v4-ja_patent huggingface dataset:
(57)【要約】      （修正有）【課題】使用者が触れることで音声応答を行う音声応答玩具に関し、娯楽性の高い玩具を提供する。【解決手段】本体１の中に設けられた静電気感知センサ２からの信号を受信し、受信信号のパターンに対応して音声応答をスピーカ３より出力する制御装置４を備える。静電気感知センサが読み取った様々な信号に対応した音声応答を行うことで、娯楽性の高い玩具を実現することができる。【選択図】図１
0003235030.tif 000002
【実用新案登録請求の範囲】
【請求項１】
使用者が触れることで音声応答を行う音声応答玩具に関し、
外皮と該外皮の内側に設けられた充填材料からなる本体と、
該本体の中に分散して配置された複数の静電気感知センサと、
該本体の中に設けられたスピーカと、
該本体の中に設けられ、該静電気感知センサからの信号を受信し、受信信号のパルスの
パターンに対応して音声応答を該スピーカより出力する制御装置を
備えたことを特徴とする音声応答玩具。
【考案の詳細な説明】
【技術分野】
【０００１】
使用者が触れることで音声応答を行う玩具に関する考案である。
【背景技術】
【０００２】
動物や人形等に形作した外皮体内に静電気が起こり易い綿体が充填された縫いぐるみ玩具
本体を形成し、この縫いぐるみ玩具本体の胴部の綿体内には静電気センサによる静電気感
知作動スイツチを備えたメロデイ発生機構を埋設し、その静電気感知作動スイツチには、
縫いぐるみ玩具本体の適所に配設された静電気感知部材を接続し、静電気感知作動スイツ
チの静電気センサで静電気感知部材から静電気を感知し、静電気感知作動スイツチのＯＮ
信号によりメロデイ発生機構が作動開始して一定時間経過後に作動停止するようにしたこ
とを特徴とする静電気感知作動のメロデイ発生機構を備えた縫いぐるみ玩具が知られてい
る。
［先行技術文献］
【０００３】
［特許文献１］ 実開昭６１−１４８３８９
【考案の概要】
【考案が解決しようとする課題】
【０００４】
従来の玩具は静電気感知作動スイツチのＯＮ信号に対応したメロデーを発生させていたた
め、玩具の触りかたを替えてもＯＮ信号に対応したメロデーのみが発せられるだけであっ
た。
【課題を解決するための手段】
【０００５】
本願考案は、使用者が触れることで音声応答を行う音声応答玩具に関し、外皮と外皮の内
側に設けられた充填材料からなる本体と、本体の中に分散して配置された複数の静電気感
知センサと、本体の中に設けられたスピーカと、本体の中に設けられ静電気感知センサか
らの信号を受信し受信信号のパルスのパターンに対応して音声応答をスピーカより出力す
る制御装置を備えたことを特徴とする音声応答玩具。
【考案の効果】
【０００６】
本考案の音声応答玩具は静電気感知センサが読み取った様々な信号に対応した音声応答を
行うことで、娯楽性の高い玩具を提供することができる。
【図面の簡単な説明】
【０００７】
【図１】本考案の第一の構成を示した図である。
【図２】本考案の第二の構成を示した図である。
【考案を実施するための形態】
【実施例】
【０００８】
使用者が触れることで音声応答を行う音声応答玩具に関する考案である。以下に、図面を
用いて本考案の実施例を説明する。
【０００９】
図１は本考案の第一の構成を示した図である。音声応答玩具は本体１、静電気感知センサ
２、スピーカ３、制御装置４およびバッテリー５から構成されている。
本体１は外皮１１と外皮の内側に設けられた充填材料１２から構成されている。外皮１１
および充填材料１２は静電気が発生しやすい材料が好ましい。
【００１０】
本体１の形状は頭部１３、胴体１４、四肢１５を有し手いる。本体１の形状は人形または
動物の形状を有している。本図ではネコ型の動物の形状をしているが、形状はこれに限ら
れるものではない。
【００１１】
静電気感知センサ２は本体１の外皮１１と充填材料１２の間に複数個配置されている。
図１の構成では、静電気感知センサ２は頭部１３に１つ、頭部１３と胴体１４の間もしく
はその近傍に配置している。
【００１２】
制御装置４は静電気感知センサ２、スピーカ３とバッテリー５に電気的な配線により接続
されている。
【００１３】
使用者が本体１の静電気感知センサ２付近を触ることにより、静電気感知センサ２は静電
気の状態を電気信号として制御装置４に送る。この電気信号は使用者が本体１を触った状
態に対応した電気信号である。すなわち、この電気信号は使用者が軽く触る、強く触るな
どの強さと、瞬間的に触る、連続的に触るなどの時間の組み合わせの状態を示すパターン
の信号である。
【００１４】
制御装置４は複数の音声応答信号を記憶している。制御装置４は静電気感知センサ２から
の電気信号もとに、使用者が本体１のどの静電気感知センサ２付近を触ったか、さらに触
った際の強さと時間のパターンに対応した音声応答信号を複数の音声応答信号の中から選
択する。選択された音声応答信号はスピーカ３に送られる。スピーカ３は制御装置４から
の音声信号を音声として出力する。
【００１５】
上記に説明した構成の本体がネコの形状をしている場合の音声応答の例を説明する。
【００１６】
使用者が本体１の頭部１３の静電気感知センサ２付近を強く瞬間的に触る（叩く）パター
ンにおいて、制御装置４は「ニャー」と短く強い音声信号（ネコが怒ったときに発す鳴き
声）を選択してスピーカ３に送る。使用者が本体１の頭部１３の静電気感知センサ２付近
を弱く連続的かつ繰り返し触る（なでる）パターンにおいて、制御装置４は「ニャーー」
と長く弱い音声信号（ネコが甘えたときに発する鳴き声）を選択してスピーカ３に送る。
【００１７】
使用者が本体１の頭部１３と胴体１４の間に設けられた静電気感知センサ２付近を弱く連
続的かつ繰り返し触るパターンでは、制御装置４は「ゴロゴロニャー」とネコが喉を鳴ら
す際の鳴き声を選択してスピーカ３に送る。
【００１８】
図２は本考案の第二の構成を示した図である。図２が図１と異なる点は本体１の形状が複
数の面で構成された多面体の形状を有していることである。その他の構成は図１の構成と
同じであるため説明は省略する。
【００１９】
図２は本体１の複数の面の外皮１１の内側に静電気感知センサ２を配置している。制御装
置４は静電気感知センサ２からの電気信号もとに、使用者が本体１のどの静電気感知セン
サ２付近を触ったか、さらに触った際の強さと時間のパターンに対応した音声応答信号を
複数の音声応答信号の中から選択する。
【産業上の利用可能性】
【００２０】
本考案の音声応答玩具は静電気感知センサが読み取った様々な信号に対応した音声応答を
行うことで、娯楽性の高い玩具を提供することができる。
【符号の説明】
【００２１】
１．本体
２．静電気感知センサ
３．スピーカ
４．制御装置
５．バッテリー
１１．外皮
１２．充填材料
１３．頭部
１４．胴体
１５．四肢
【図１】
0003235030.tif 000003
【図２】
0003235030.tif 000004
(57)【要約】      （修正有）【課題】赤、桃色、橙、黄、緑、青、紫など色のついた点心の皮を提供する。【解決手段】食用色素２を含むことを特徴とする点心の皮であって、食用色素は、赤、桃色、橙、黄、緑、青、及び紫色の内の一色以上である。それぞれの具を包むことによりカラフルな点心ができる。【選択図】図１
0003235028.tif 000002
【実用新案登録請求の範囲】
【請求項１】
点心の皮であって、食用色素を含んでいることを特徴とする点心の皮。
【請求項２】
前記食用色素は赤、桃色、橙、黄、緑、青、及び紫色の内の一色以上であることを特徴とする請求項１記載の点心の皮。
【考案の詳細な説明】
【技術分野】
【０００１】  本考案は、中華料理の点心（焼売、餃子、春巻き等）の具を包むときの皮に関するものである。
【背景技術】
【０００２】  点心の具を包む皮は、小麦粉を主体に作られているので、基本は白色である。
【考案の概要】
【考案が解決しようとする課題】
【０００３】  従来は点心の具を包む皮は、小麦粉を主体に作られているので白色が主流であり、小麦粉に卵を練りこんだ薄黄色の皮もあるが基本は白色である。白色の皮で具を包むことにより見た目が地味に出来上がり料理映えしなかった。
【課題を解決するための手段】
【０００４】  点心の皮であって食用色素を含ませた点心の皮。小麦粉、菜種油、加工でん粉、酒精を主成分とする点心の皮（焼売、餃子、春巻き）を原材料として生地をつくる。生地を生成するにあたり、食品衛生法による製品検査に合格した食用色素を混合させて、多色の点心の皮を製造する事ができる。
【考案の効果】
【０００５】  上述の様に、本考案で作られた色つきの点心の皮で（焼売、餃子、春巻き等）の具を包む事によってカラフルな点心ができ上る。カラフルな点心を器に盛り込む事により、華やかで見栄えのする料理が出来上がり食卓の上を飾る事ができる。弁当箱の中に入れても料理に彩を添えて、見た目も楽しく食欲をそそられる一品となる。
【図面の簡単な説明】
【０００６】
【図１】本考案の点心の皮を製造する時に食用色素を混ぜ込む図である。
【図２】本考案の食用色素を含んだ点心の皮（焼売、餃子、春巻き）を使った実施例。
【考案を実施するための形態】
【０００７】  従来は点心の皮（焼売、餃子、春巻き）をつくる時に小麦粉、菜種油、加工でん粉、酒精を主成分として生地がつくられるので白色の生地ができるが、本考案は食品衛生法による製品検査に合格した食用色素を点心の生地の最終段階に混ぜ込むことにより、今までにないカラフルな点心の皮ができる。この食用色素はケーキなどには使用されているが点心の皮には使われていない。
【実施例】  以下、添付図面に従って一実施例を説明する。図１は点心の皮に食用色素を混ぜ込む図である。１は点心の皮の生地でありボールに入れてある。２は液状の食用色素である。点心の皮の生地１に食用色素２を混ぜた色つきの生地を薄く伸ばして点心の皮を製造する。【０００８】  図２は食用色素を含んだ点心の皮を使った実施例の図である。３は焼売であり、４は餃子であり、５は春巻きである。食用色素２は今現在赤、桃色、橙、黄、緑、青、及び紫色など１０種類位あるので色どうしの混ぜ合わせ、溶き方の濃さにより多数の種類の色つきの皮を製造することができる。
【符号の説明】
【０００９】  １    点心の皮の生地
２    食用色素
３    焼売
４    餃子
５    春巻き
【図１】
0003235028.tif 000003
【図２】
0003235028.tif 000004
(57)【要約】      （修正有）【課題】ゴムによる締め付けを解放するラバ−レス開閉下着パンツを提供する。【解決手段】ラバ−レス開閉下着パンツは、ウエストゴムバンドを無くし、前身頃Ａ１０を開閉したウエストバンド２の両端に面ファスナーを取付ける。体に合わせて左右の面ファスナーを重ね合わせて止めることにより、締め付けや、圧迫感を無くすことができる。【選択図】図１
0003235076.tif 000002
【実用新案登録請求の範囲】
【請求項１】
下着パンツ、ウエストゴムバンドを無くし、前身頃を開閉したウエストバンド両端にマジックテープ取付ける、体に合わせ左右のマジックテープを重ね合わせ止めることを特徴とする、ラバ−レス開閉下着パンツ。
【考案の詳細な説明】
【技術分野】
【０００１】  本考案は、ウエスト部分のゴムバンドを無くし、前身頃を開閉したパンツのウエストバンド両端にマジックテ−プで重ね合わせ止める、ラバ−レス開閉下着パンツに関するものである。
【背景技術】
【０００２】  下着パンツ、ウエスト部分のゴムバンドにより、常に締め付けられ、圧迫されることに、不快感や、ストレスなど生じていた。
【先行技術文献】
【特許文献】
【０００３】
【特許文献１】実全昭５３−０２６６１６
【考案の概要】
【考案が解決しようとする課題】
【０００４】  下着パンツ、ウエスト部分、ゴムバンド仕様の締め付で起こる、圧迫で伴う不快感、ストレスなど無くすことを目的とする。
【課題を解決するための手段】
【０００５】  ウエスト部分のゴムバンド仕様から、ゴムバンドのない仕様へ、前身頃を開閉した図１（１ａ及び１ｂ）ウエストバンド両端部分（マジックテ−プ取付け）を体系のフィットするところで重ね止める。
【考案の効果】
【０００６】  下着パンツ、上述の様にウエストゴムバンド無くすことにより、締め付、圧迫、ストレスから解放される。
【図面の簡単な説明】
【０００７】
【図１】本考案の代表的な実施形態に係るラバ−レス開閉下着パンツの前身頃Ａ１０を示す概略図である。
【図２】ラバ−レス開閉下着パンツの後身頃Ｂ１０を示す概略図である
【考案を実施するための形態】
【０００８】  以下、本考案に係る、ラバ−レス開閉下着パンツの代表的な実施形態について、図を参照しながら詳細に説明するが、本考案は図示されるものに限られない。また、各図面は本考案を概念的に説明するためのものである、理解容易のために、必要に応じて寸法、比又は数を誇張又は簡略化して表している場合もある。
ゴムベルトを使用しないため、開き状態の下着パンツを身につけたとき左右のマジックテープでフィットする箇所に合わせ止める。考案では、マジックテ−プの長さによりサイズ調整が可能である。
【実施例】
【０００９】  以下、添付図面に従って一実施例を説明する。（図１）Ａ１０前身頃，２開閉しているウエストバンド両端に取り付けた、マジックテ−プ１ａ表面、１ｂ裏面を、使用者が心地よい所に重ね合わせ止める。【００１０】  ラバ−レス開閉下着パンツの、形状、生地素材については、こだわるものではない。【００１１】  ラバ−レス開閉下着パンツは、従来仕様ウエストバンドのゴムを無くし、前身頃のウエストバンド両端を、マジックテ−プで重ね止める形態である、よって、男性用、女性用にこだわるものではない。
【符号の説明】
【００１２】Ａ１０  前身頃図
Ｂ１０  後身頃図
１ａ    マジックテ−プＡ面
１ｂ    マジックテ−プＢ面
２      ウエストバンド
【図１】
0003235076.tif 000003
【図２】
0003235076.tif 000004
【手続補正書】
【提出日】令和3年8月14日(2021.8.14)
【手続補正１】
【補正対象書類名】明細書
【補正対象項目名】０００５
【補正方法】変更
【補正の内容】
【０００５】  ウエスト部分のゴムバンド仕様から、ゴムバンドのない仕様へ、前身頃を開閉した図１（１ａ及び１ｂ）ウエストバンド両端部分（マジックテープ取付け）を体型のフィットするところで重ね止める。
【手続補正２】
【補正対象書類名】明細書
【補正対象項目名】０００７
【補正方法】変更
【補正の内容】
【０００７】
【図１】本考案の代表的な実施形態に係るラバーレス開閉下着パンツの前身頃Ａ１０を示す概略図である。
【図２】ラバーレス開閉下着パンツの後身頃Ｂ１０を示す概略図である。
(57)【要約】      （修正有）【課題】通気性が良く、新生児やお母さんの快適性を改善する抱っこふとん本体を提供する。【解決手段】抱っこふとん本体は、中身を立体構造のメッシュとしたもので、オールシーズン使用でき、コンパクトな造りでお出かけ時や里帰り時にも手軽に持参できる。新生児の抱っこに不慣れなお父さんや初孫の初抱っこに緊張するおじいちゃんやおばあちゃんの抱っこをサポートする。新生児にとっては、誰に抱っこされても一番安心するお母さんに抱っこされているような状況とあまり変わらない状況が続き、新生児へ与えるストレスも軽減する。抱っこふとんが汚れた場合でも、洗濯ネットに入れて洗濯機での丸洗いが可能で、通気性の良いメッシュ素材なので水切れもよく、形崩れも少なく、すぐに乾き、手軽に洗濯することが可能である。【選択図】図１
0003235042.tif 000002
【実用新案登録請求の範囲】
【請求項１】
本考案は、新生児の授乳や寝かしつけ時の新生児の抱っこをサポートする抱っこ用ふとんの中身を、通常の詰め物であるポリエステル綿より、立体構造のメッシュに変更したものである。
【考案の詳細な説明】
【先行技術文献】
【特許文献】
【０００１】
本考案は、新生児の授乳や寝かしつけ時の新生児の抱っこをサポートする抱っこ用ふとんの中身を、通常の詰め物であるポリエステル綿より、立体構造のメッシュに変更したものである。
【背景技術】
【０００２】
ポリエステル綿を中素材に使用した抱っこふとんは通気性が悪く保温性が高いため、特に汗かきである新生児にとっては布団全体に熱こもりが発生してしまい不快な状況を与えてしまいます。また新生児を抱っこするお母さんやお父さんにも同様な不快感を与えてしまいます。
新生児が寝ついたらそのままお布団に移行する(新生児を動かしたりしたら起きて泣いてしまうから)ため、新生児にとって快適な状態を維持するために、通気性の悪いポリエステル綿の中素材の代わりになる中素材がないかと試行錯誤し適度なクッション性と優れた通気性を持つ立体構造のメッシュを使用することを考えました。
立体構造のメッシュの厚みは約4〜5mmと薄いため、３〜４重に重ねて縫い合わせて使用するように考案しました。
【図面の簡単な説明】
【０００３】
【図１】メッシュ素材の抱っこふとん本体の全体図と断面図である。
【図１】
0003235042.tif 000003
【手続補正書】
【提出日】令和3年7月9日(2021.7.9)
【手続補正１】
【補正対象書類名】実用新案登録請求の範囲
【補正対象項目名】全文
【補正方法】変更
【補正の内容】
【実用新案登録請求の範囲】
【請求項１】
本考案は、新生児の授乳や寝かしつけ時の新生児の抱っこをサポートする抱っこ用ふとんの中身を、通常の詰め物であるポリエステル綿より、立体構造のメッシュにを特徴とするメッシュ素材の抱っこふとん本体。
【手続補正書】
【提出日】令和3年9月10日(2021.9.10)
【手続補正１】
【補正対象書類名】実用新案登録請求の範囲
【補正対象項目名】全文
【補正方法】変更
【補正の内容】
【実用新案登録請求の範囲】
【請求項１】
本考案は、新生児の授乳や寝かしつけ時の新生児の抱っこをサポートする抱っこふとんの中身が、立体構造のメッシュであることを特徴とするメッシュ素材の抱っこふとん本体。
(57)【要約】      （修正有）【課題】飛沫対策を万全にする為に、利用者の顔を大きな透明フイルム越に見ながら透明フイルム下で施術可能で、利用者の顔が近く、一方がマスクを出来ない環境でも安心して施術者も利用者も飛沫感染防止に成る施術用商材用飛散防止ガードを提供する。【解決手段】施術者、利用者の双方に対して飛沫による施術台左右両側に透明フイルム５を固定する衝立を施して左右衝立壁１から透明フイルムを橋渡しに取り付け、透明フイルムによって飛沫が遮断される。左右壁は施術者の身長や使い勝手に依って伸縮出来、高さ固定治具６で固定する。２枚の衝立に這わせた透明フイルム越しに施術する事で飛沫感染対策をする。【選択図】図１
0003235043.tif 000002
【実用新案登録請求の範囲】
【請求項１】
施術の利用者が顔位置左右に衝立を施術台の両側に配置し、その両衝立に透明フイルムを橋渡しにして設置し、技術者は透明フイルム上面から利用者の顔を見ながら透明フイルム下から腕を差し入れて施術を行う事が出来きる透明フイルムと衝立から成る、感染予防ガード
【請求項２】
前記の衝立は施術者の身長や施術台の高さに合わせて、衝立外側及び衝立内側に挟まれた衝立中側が２分割されて高さをスライド出来る衝立一式で、施術し易い位置に高さを調節でき、高さ固定治具で固定できる感染防止のガード
【請求項３】
衝立外側及び衝立内側はさまれた衝立中側に脚を取り付けて透明フイルムは脱着治具で簡単に取り外しが可能で、利用者が変われば新しい透明フイルムと簡単に付け替えが出来、交換時に消毒と曇り止めがしっかりできる感染拡予防のガード。透明フイルムは透明樹脂板でも良い。
【考案の詳細な説明】
【技術分野】
【０００１】  本考案は、施術者が利用者と顔が近くマスク着用もしくはマスクなしの事から咳き込んだ利用者の飛沫の吸い込みを防ぐ事が可能になる。透明フイルム越に施術をする事で飛沫をガードする事が出来る。
【背景技術】
【０００２】  飛沫対策と云う事で施術者はマスクやフェイスシールドを付けての施術で行っていたが利用者との顔の距離が近い位置での施術は、施術者と利用者の飛沫を防ぐ事が非常に難しい。この事で施術者や利用者が安心して施術を受けるごとができる。
【先行技術文献】
【特許文献】
【０００３】
【特許文献１】実登３２２９７５１
【特許文献２】実登３２２８４２９
【考案の概要】
【考案が解決しようとする課題】
【０００４】  本考案が解決しようとする課題は、大きな透明のフイルムを利用者の前に覆い隙間から手を伸ばして施術が出来れば安心して利用者の施術を行う事が出来る。かつ利用者も飛沫対策に対して安心して施術を受ける事が出来る。
【課題を解決するための手段】
【０００５】  本考案は、施術者、利用者の双方に対して飛沫による施術台左右両側に透明フイルムを固定する壁を施して左右衝立から透明フイルムを橋渡しに取り付ける。透明フイルムによって飛沫が遮断される。左右壁は施術者の身長や使い勝手に依って伸縮出来る様にする。
【考案の効果】
【０００６】  本考案の飛沫対策治具を使用する事で施術者も利用者も安心して施術が出来る。
【図面の簡単な説明】
【０００７】
【図１】  全体図である。
【図２】  スライドできる衝立中側
【考案を実施するための形態】
【０００８】  図１は、全体図である。
この図が示すように、本実施例２枚の衝立外側１．衝立内側２を介して透明フイルム５が利用者の顔面と施術者顔面の間に配置される事でお互いの飛沫を遮る事が出来る。
図２はスライドできる衝立中側。
衝立外側１、衝立内側２、衝立中側４を一式とし、施術台利用者の顔位置左右に配置する。利用者に施術台配置してから透明フイルム５を各々の側面壁外側のフイルム脱着治具６に固定する
【実施例】
【０００９】図１の施術台利用者の顔位置位左右に衝立外側１．衝立内側２に脚３を取り付け施術台の両側に配置してその両壁に透明フイルム５橋渡しに設置して透明脱着治具７に取り付ける。
施術者は透明フイルム５越に見ながら腕を透明フイルム５下から施術を行う事が出来る。
図２は両衝立で施術者の身長や施術台の高さに合わせてスライド伸縮をさせる事で調節する事ができる。仕組みは衝立外側１と衝立内側２に挟まれた衝立中側４が２分割されていて高さをスライド出来る様にして施術し易い位置に高さ固定する。
施術者は利用者と透明フイルム５の間に腕を入れて透明フイルム５を通して施術者の施術し易い高さ位置にスライド部分を移動させ高さ固定治具６で固定する。
施術が終われば透明フイルム５を透明フイルム脱着器具７から外して利用者に施術台から降りてもらう。外した透明フイルム５は次の利用者の為殺菌し曇り止めをする。
【符号の説明】
【００１０】１  衝立外側
２  衝立内側
３  脚
４  衝立中側
５  透明フイルム
６  高さ固定治具
７  透明フイルム脱着器具
【図１】
0003235043.tif 000003
【図２】
0003235043.tif 000004
【手続補正書】
【提出日】令和3年8月10日(2021.8.10)
【手続補正１】
【補正対象書類名】実用新案登録請求の範囲
【補正対象項目名】全文
【補正方法】変更
【補正の内容】
【実用新案登録請求の範囲】
【請求項１】
施術の利用者が顔位置左右に衝立を施術台の両側に配置し、その両衝立に透明フイルムを橋渡しにして設置し、施術者は透明フイルム上面から利用者の顔を見ながら透明フイルム下から腕を差し入れて施術を行う事が出来きる透明フイルムと衝立から成る、感染予防ガード。
【請求項２】
請求項１の感染予防ガードは施術者の身長や施術台の高さに合わせて、衝立外側及び衝立内側に挟まれた衝立中側が２分割されて高さをスライド出来る衝立一式で構成され、施術者が施術し易い位置に高さを調節、固定し固定治具できる、請求項１の感染予防ガード。
【請求項３】
請求項２の感染予防ガードは、衝立中側に脚が取り付けられ前記透明フイルムは、脱着治具で簡単に取り外し可能である請求項２の感染予防ガード。
(57)【要約】      （修正有）【課題】病院等に入院中の病人や怪我人等がベッド等に仰向けに寝たままの状態でも使用できる脚用健康増進器具を提供する。【解決手段】脚用健康増進器具は、体重を支える台座本体３に、蝶番により支柱４を取り付けて固定し、折りたたみ可能とした構造で、取り外し可能なシーソー形式の足踏み棒１を結合した事を特徴とすること及び、シーソー形式の足踏み棒の両サイドに穴ア、イ、ウ、エを空けて同穴部にゴム紐を通し、同ゴム紐を足部にはめることにより、シーソー形式の足踏み棒に載せた足が、足踏み棒から外れにくくしたことを特徴とする。【選択図】図３
0003235047.tif 000002
【実用新案登録請求の範囲】
【請求項１】
本考案品の脚用健康増進器具は、体重で支える台座本体に、蝶版により支柱を取り付けて固定し、折りたたみ可能とした構造で、取り外し可能なシーソー形式の足踏み棒を結合した事を特徴とすること及び、シーソー形式の足踏み棒の両サイドに穴を空けて同穴部にゴム紐を通し、同ゴム紐を足部にはめることにより、シーソー形式の足踏み棒に載せた足が、足踏み棒から外れにくくしたことを特徴とする脚用健康増進器具。
【考案の詳細な説明】
【技術分野】
【０００１】  本考案は、コロナ禍で外出自粛やテレワーク等による運動不足になりがちな現代人及びベッド等から起き上がる事が出来ない病人や怪我人向けに、ベッド上でも仰向けに寝たままの状態で使用できるように考案した脚用健康増進器具である。
【背景技術】
【０００２】  多々ある健康器具の中で、脚用健康増進器具としては、椅子等に腰掛けた状態で使用する先行技術文献は数点あるが、ベッドに仰向けに寝たままの状態で使用できる脚用健康増進器具は、現時点では無いと認識している。
【先行技術文献】
【特許文献】
【０００３】
【特許文献１】実用新案登録第３２２７９２１号
【特許文献２】特許出願公開番号第２０１８−５０６７７号
【考案の概要】
【考案が解消しようとする課題】
【０００４】  外出自粛やテレワーク等で運動不足となりがちな現代人のための健康増進用器具として、椅子に腰掛けた状態での足踏み運動が出来る先行技術文献は数点あるが、ベッド等に仰向けに寝たままの状態でも使用できる脚用健康増進器具は、現時点では無いと認識しており病院に入院している怪我人や病人等がベッド等で仰向けに寝たままの状態で使用できる脚用健康増進器具を製作したいというのが課題である。
【課題を解決するための手段】
【０００５】  本考案品は上記の問題点を解決することを目的として、場所を選ばず、椅子等に腰掛けた状態ではなく、病院等に入院中の病人や怪我人等がベッドに仰向けに寝ている状態で、いつでも、短時間で手軽に使えるように考案した脚用健康増進器具である。
【考案の効果】
【０００６】  本考案品は、場所を選ばず、椅子等に腰掛けた状態ではなく、病院等に入院中の病人や怪我人等がベッド等で仰向けに寝ている状態若しくは背もたれのある座椅子等に座った状態でも、いつでも短時間で手軽にリハビリ用としても使えるように考案した脚用健康増進器具である。
【図面の簡単な説明】
【０００７】
【図１】  考案品の脚用健康増進器具の側面図である。
【図２】  考案品の脚用健康増進器具の平面図である。
【図３】  考案品の脚用健康増進器具の立体図である。
【図４】  考案品の脚用健康増進器具は足踏み棒部分が折りたたみ可能で、折りたたんだ状態を示した立体図である。
【図５】  上記考案品の脚用健康増進器具の足踏み棒の両端にゴム紐を取り付けた状態の使用例をｓ示した図である。
【図６】  本考案の上記脚用健康増進器具の足踏み棒は高さが換えられる仕様となっており、同足踏み棒の高さを換えるためのアタッチメントの側面図と平面図である。
【考案を実施するための形態】
【０００８】  本考案品の脚用健康増進器具は、平らな地面や、室内の居間や寝室、台所等で傾斜の無い場所、若しくは病院等のベッド上において、玄関マットやカーペットまたはヨガマット等の上に本考案品を置き、土台本体の上に仰向けに寝た状態で、両足をシーソー形式の足踏み棒の両端に左右の足を各々載せて、左右の足を交互に屈伸させて使用する。
若しくは背もたれのある座椅子に座った状態でも同様にして使用可能である。
その補助としてシーソー形式の足踏み棒の両サイドに、紐を通す穴を空けており、この穴にゴム紐等を通して、同紐に各々足を入れることで、足踏み棒の両サイドに載せた足が足踏み棒から容易に外れないように工夫した。
また、足踏み棒の高さを若干変更できるようにアタッチメントを別途作製した。
【実施例】
【００９】  本考案品の脚用健康増進器具は、屋外では１平方メートル程度の平らな地面、室内では居間や寝室、台所等で傾斜の無い場所若しくは病院等のベッド上において、玄関マットやカーペット、ヨガマット等の上に本考案品の脚用健康増進器具本体を置き、椅子に腰掛けた状態ではなく、器具本体の上に仰向けに寝た状態で、若しくは背もたれのある座椅子に座った状態で、シーソー形式の脚踏み棒の両サイドに各々両足を載せて左右の脚を交互に屈伸運動させて１回１０分程度を目安に１日３回程度使用する。
【産業上の利用可能性】
【００１０】  本考案品の脚用健康増進器具は自宅のみならず、職場での休憩時間時等にも、短時間で容易に簡単に使用可能であるばかりでなく、ベッド等に仰向けに寝た状態の姿勢のままで使用出来るので、病院に入院中の怪我人や病人等にも使用が可能で、エコノミークラス症候群の予防やリハビリ用としての効果も期待できる考案品である。
また、アタッチメントを利用して、足踏み棒の高さを若干ではあるが変更できるようにした。
【符号の説明】
【００１１】▲１▼  脚用健康増進器具の台座本体に付属する（取り付ける）足載せのシーソー棒である。
▲２▼  上記シーソー棒を脚用健康増進器具の台座本体の支柱に取り付けるための接続部品である。
▲３▼  脚用健康増進器具の台座本体である。
▲４▼  ▲２▼を挿入して台座本体と結合するための支柱である。
▲５▼  ▲４▼を結合、固定するための補助板である。
Ａ  脚用健康増進器具の台座本体▲３▼と▲５▼を結合する蝶版部分である。
Ｂ  ▲４▼と▲５▼を結合、固定するための釘である。
ア・イ・ウ・エ  は、足載せのシーソー棒の両端にゴム紐を取り付けるための穴であり、シーソー棒に載せた足が、同シーソー棒から外れにくくするための工夫である。
オ  図１の▲２▼・図２の▲２▼と「同じ径で短い」アタッチメントの側面図と平面図である。
本アタッチメントの「オ」を図１の▲４▼・図２の▲４▼に、▲２▼を挿入する以前に、事前に本アタッチメントの「オ」を挿入することで、図１の▲１▼つまり足踏み棒の高さを換えることができるという効果がある。
【図１】
0003235047.tif 000003
【図２】
0003235047.tif 000004
【図３】
0003235047.tif 000005
【図４】
0003235047.tif 000006
【図５】
0003235047.tif 000007
【図６】
0003235047.tif 000008
(57)【要約】      （修正有）【課題】スノーボードでの転倒時に手首が受ける衝撃を減少させる、スノーボードグローブ用リストプロテクターを提供する。【解決手段】ＥＶＡ樹脂は軽量で柔らかく、弾力性があり、丈夫な素材であり、雪山の低温環境でも柔軟性を保つことができる。このＥＶＡ樹脂とＡＢＳ樹脂の融合プレートを手首周囲に当てておくことで、転倒時に手を着いた時の衝撃を緩和でき、ひいては手首の怪我を減少させる。さらに、ＡＢＳ樹脂パーツ１に浅い溝２をつけたことで、手の動きにフィットし、邪魔にならない仕組みである。【選択図】図１
0003235144.tif 000002
【実用新案登録請求の範囲】
【請求項１】
ＥＶＡ樹脂を土台とし、その上にＡＢＳ樹脂パーツを用いたことを特徴とする、グローブ挿入型のリストプロテクター。
【請求項２】
前記のＡＢＳ樹脂パーツに浅い溝をつけたことを特徴とする請求項１に記載のグローブ挿入型のリストプロテクター。
【請求項３】
全体に弧度をつけたことを特徴とする請求項１または請求項２に記載のグローブ挿入型のリストプロテクター。
【考案の詳細な説明】
【技術分野】
【０００１】      本発明は、スノーボードでの転倒時に起こる手首へのダメージを減少させるためのものである。
【背景技術】
【０００２】公知の技術がないため、新規登録を申請するものである。
【考案の概要】
【考案が解決しようとする課題】
【０００３】公知のスノーボード用のグローブは防寒、防水などスノーボード時の凍傷を防ぐものであるが、スノーボードで避けられない転倒の際に、手首の怪我から保護する機能を併せ持つものがない。グローブと別にリストガードを装着する手間を省くために、グローブと一体になって手首を保護できるものが望まれる。
【課題を解決するための手段】
【０００４】ＥＶＡ樹脂とＡＢＳ樹脂の融合プレートをグローブに挿入して使用する。ＡＢＳ樹脂パーツに浅い溝をつけたことで、手首へのフィット感をアップしており、手の動きを邪魔しない仕組みであると同時に、手首への衝撃を減少させる。
【考案の効果】
【０００５】ＥＶＡ樹脂の柔軟性が、スノーボードで転倒時に手を付いた際に手首が受ける衝撃を吸収、減少させる。その結果、骨折などの怪我のリスクを低く抑えることができる。
【図面の簡単な説明】
【０００６】
【図１】リストプロテクターの斜視平面図である。
【図２】リストプロテクターの正面平面図である。
【図３】リストプロテクターの背面平面図である。
【図４】リストプロテクターの左側面平面図である。
【図５】リストプロテクターの右側面平面図である。
【図６】リストプロテクターの平面図である。
【図７】リストプロテクター底面の平面図である。
【図８】立体感のある参考斜視図である。
【考案を実施するための形態】
【０００７】リストプロテクターはスノーボードグローブに挿入して使用するものである。
【符号の説明】
【０００８】１  ＡＢＳ樹脂パーツ
２  ＡＢＳ樹脂パーツに浅い溝をつける
３  土台（ＥＶＡ樹脂）
４  段差（ＥＶＡ樹脂の柔軟性で手首を守る）
【図１】
0003235144.tif 000003
【図２】
0003235144.tif 000004
【図３】
0003235144.tif 000005
【図４】
0003235144.tif 000006
【図５】
0003235144.tif 000007
【図６】
0003235144.tif 000008
【図７】
0003235144.tif 000009
【図８】
0003235144.tif 000010
(57)【要約】      （修正有）【課題】ハサミ本体に巻き取り式メジャーを設けることで、効率的な切断を可能にする、ハサミを提供する。【解決手段】ハサミ本体１の片面に切断距離を測定する巻き取り式メジャー２を設け、切断時にメジャーにて切断距離を測定し、メジャー先端部３を切断終点に固定し、ハサミで切断することにより、効率的に切断距離の切断を可能とする。【選択図】図１
0003235143.tif 000002
【実用新案登録請求の範囲】
【請求項１】
ハサミ本体に切断距離を測定する巻き取り式メジャーを有したハサミ
【請求項２】
メジャー先端部にメジャー先端部を切断終点に固定する部材を有する請求項１記載のハサミ
【考案の詳細な説明】
【技術分野】
【０００１】  本考案は、特にハサミに巻き取り式メジャーが設けられたハサミに関するものである。
【背景技術】
【０００２】  現在、一般に使用されているハサミは、切断距離を測定する装置を有していない。
【先行技術文献】
【特許文献】
【０００３】
【特許文献１】実用新案登録第３１２５９４４号公報
【特許文献２】特開平９−２７６５６６号公報
【考案の概要】
【考案が解決しようとする課題】
【０００４】  従来のハサミは、切断距離を測定するため、事前にメジャー等で計測し、基準線を入れ、ハサミに持ち替えて、基準線まで切断しなければならず、時間的、労働的負担がある。ハサミに巻き取り式メジャーを一体化することにより、事前に切断距離を測定し、基準線を入れることなく、一定の切断距離をハサミで切断可能とすることで、時間的、労働的負担を削減するものである。
【課題を解決するための手段】
【０００５】  本考案は、ハサミ本体に、切断距離を測定する巻き取り式メジャーを設け、メジャーで切断距離を測定し、メジャー先端部を切断終点に固定し、ハサミで切断することにより、事前の切断距離の測定を不要とするものである。
巻き取り式メジャーは、ハサミでの切断の過程で、常に一定の力で巻き取られる。
メジャー先端には脱着可能な固定具を装着することで、固定具が切断先端部に固定され、メジャーの先端部を手などで固定することなく、切断でき、作業の効率化を可能とする。
【図面の簡単な説明】
【０００６】
【図１】本考案の巻き取り式メジャー付ハサミのメジャーを出した時の実施例を示す図である。
【実施例】
【０００７】    以下、添付図面に従って一実施例を説明する。１は、ハサミ本体、２は巻き取り式メジャーであり、巻き取り式メジャー２は、ハサミ本体１の片面に設置される。【０００８】    巻き取り式メジャー２の中心部が、ハサミ本体１のピンと重なる部位に固定される。メジャーの先端部３は、ハサミの刃４に向けて、出し入れ可能となっている。巻き取り式メジャー２は、常に一定の力で巻き取られる。【０００９】    メジャーの先端部３には、切断位置に固定するための部材を有する。固定するための器具として、脱着可能な接着剤を有する。
【符号の説明】
【００１０】  １  ハサミ本体
２  巻き取り式メジャー
３  メジャーの先端部
４  ハサミの刃
【図１】
0003235143.tif 000003
(57)【要約】      （修正有）【課題】インフルエンザの咳が特に睡眠時に激しく発作症状をきたす時に、安眠しつつ、咳止め飴を含んだまま、喉に詰まったりせずに安全に、口蓋垂の上に設置して、長時間口蓋垂を乾燥から守って咳をストップする咳止め飴口内保持具を提供する。【解決手段】咳止め飴口内保持具は、咳止め飴を取り付けるＴ字状の軸体で成る取付軸部と、取付軸部の一片を口に含んでマスクの様にかけて固定する紐体で成る掛け留め部２とで構成される。咳止め飴装着軸片がＴ字状を成すように基軸３に取り付けられた取付軸部の左右両端に固定されて後頭部に周回させて取付軸部をマスクの様に安定して装着し、取付軸部の基軸３を横渡しに口に含んで眠りに就くと、咳止め飴装着軸片の末端に装着された咳止め飴を口内奥の口蓋垂の上に長時間安定的に載置して、激しい咳込み症状を防いで、早期回復を促す。【選択図】図２
0003235183.tif 000002
【実用新案登録請求の範囲】
【請求項１】
Ｔ字状の軸体で成る取付軸部と紐体で成る掛け留め部とで構成されるのであって、
取付軸部は、基軸とその中央部から直交的に伸びて先端に咳止め飴を取り付ける咳止め飴装着軸片とで成り、
基軸は、弾性材を上下に重ね合わせ状に両端で固定され、中央部を上下に引っ張れば隙間ができて、そこが咳止め飴装着軸片の一端を挟み固定する形で飴装着軸片固定部を成し、全体を口に横渡しに含んだ状態で口の左右両端より少しはみ出す程の長さを有し、
この基軸の中央地点に根元一端を挟み留められ、口内の喉方向に向かって口蓋垂に届く程度の長さで伸びる咳止め飴装着軸片が設けてあり、。
掛け留め部は、基軸の左右両端域に末端を固定され、後頭部に回し掛け止められるのであり、
以上を特徴とする咳止め飴口内保持具。
【請求項２】
掛け留め部において、左右の耳当接域に、マスクの耳掛け紐の様に、耳掛けループを設けたことを特徴とする請求項１に記載の咳止め飴口内保持具。
【考案の詳細な説明】
【技術分野】
【０００１】インフルエンザ症の特に睡眠時における咳を止めるための手段に関する。
【背景技術】
【０００２】  インフルエンザに罹った時、口蓋垂が呼吸時の空気の振動で咳が出る。そこでハチミツやのど飴で口蓋垂を湿らせて、症状を和らげる。
【考案の概要】
【考案が解決しようとする課題】
【０００３】  睡眠時には、ハチミツを舐めたり、薄めて飲んだりはできない。のど飴や咳止め飴を口内に含んだまま眠ると、唾液で硬い固形状の飴を溶かすことが出来ないので、のどに詰まって危険である。眠りながらにして固いのど飴を口内にとどめ、口蓋垂を乾燥から防いで、呼吸時の空気摩擦で咳が出るのを防ぐ方法が求められる。
【課題を解決するための手段】
【０００４】  咳止め飴を取り付けるＴ字状の軸体で成る取付軸部と、取付軸部の一片を口に含んでマスクの様にかけて固定する紐体で成る掛け留め部とで構成される。
取付軸部は、基軸とその中央部から直交的に伸びて先端に咳止め飴を取り付ける咳止め飴装着軸片とで成る。
基軸は、しっかりした棒状体であるが、しなる程度の弾性材であり、上下に重ね合わせ状に両端で固定され、中央部を上下に引っ張れば隙間ができて、そこが咳止め飴装着軸片の一端を挟み固定する形で飴装着軸片固定部を成し、全体を口に横渡しに含んだ状態で口の左右両端より少しはみ出す程の長さを有する。【０００５】  この基軸の中央地点に一端を挟み留められ、口内の喉方向に向かって口蓋垂に届く程度の長さで伸びる細長薄厚の軸片、即ち咳止め飴装着軸片が設けてあり、咳止め飴装着軸片の末端域を挟み込む２個の咳止め飴同士が対向面融着の形で装着される。
掛け留め部は、基軸の左右両端域に末端を固定され、基軸を口に含んだ状態において、両頬を伝って後頭部に回し掛け止められる。この場合、左右の耳当接域に、マスクの耳掛け紐の様に、左右に耳掛けループを設けてもよい。
以上を特徴とする咳止め飴口内保持具である。
【考案の効果】
【０００６】（イ）咳止め飴はわずかな加熱で溶け始め、その矢先に２個の咳止め飴は強力な接着性をもって、咳止め飴装着片の末端部を挟んでしっかり固着し合うので、口蓋垂に乗ったまま保持され続け、睡眠中も喉に詰まったりする心配がない。
（ロ）咳止め飴装着片は、基軸が口の入り口に横渡しに含まれて、それ以上の口内侵入を不可能にし、又、口外に落脱しない様に掛け留め部で固定してあるので、睡眠中にも安定した機能を発揮し続けることが出来る。
（ハ）斯くして、睡眠中に激しい咳発作で炎症が悪化したり、睡眠不足でさらなる体調悪化に陥ったりすることなく、症状は最小限の程度に抑えられて、体調は早期回復に向かう。
【図面の簡単な説明】
【０００７】
【図１】  本考案の斜視図
【図２】  本考案において、使用中の状態を示す正面図
【図３】  図２に示された本考案において、後方からみた斜視図
【図４】  本考案の一部である取付軸部と設置される口内との関係を分かり易く示した示したイメージ側面図
【考案を実施するための形態】
【０００８】  以下、本考案の実施の形態、使用方法を説明する。
取付軸部（１）は、基軸（３）とその中央部から直交的に伸びて先端に咳止め飴（７）を取り付ける咳止め飴装着軸片（４）とで成る。
基軸（３）は、しっかりした棒状体であるが、しなる程度の弾性材であり、上下に重ね合わせ状に両端で固定され、中央部を上下に引っ張れば隙間ができて、そこが咳止め飴装着軸片（４）の一端即ち根元を挟み固定する形で装着軸片固定部（５）を成し、全体を口に横渡しに含んだ状態で口の左右両端より少しはみ出す程の長さを有する。
この基軸（３）の中央地点に一端を挟み留められ、口内の喉方向に向かって口蓋垂に届く程度の長さで伸びる細長薄厚の軸片、即ち咳止め飴装着軸片（４）が設けてあり、咳止め飴装着軸片（４）の末端域を挟み込む２個の咳止め飴（７）同士の対向面融着の形で装着される。
掛け留め部（２）は、基軸（３）の左右両端域に末端を固定され、基軸（３）を口に横渡しに含んだ状態において、両頬を伝って後頭部に回し掛け止められる。この場合、左右の耳当接域に、マスクの耳掛け紐の様に、左右に耳掛けループ（６）を設けてもよい。
本考案は、以上の様な構成であり、以下その使用方法を説明する。
これを使用する時は、２個の咳止め飴（７）を予め軽く熱して表面が軽く溶けた状態にして、咳止め飴装着軸片（４）の末端域を挟み込む形で融着固定した上で、咳止め飴（７）の側から口内に差し込み、咳止め飴（７）を口蓋垂に乗せ置く状態で、掛け留め部（２）によって継続的に維持する。こうして、睡眠中の唾液分泌のほとんどない環境下で、長時間に亘って口蓋垂の粘膜を守り、咳込み症状を予防することが出来る。
【符号の説明】
【０００９】１  取付軸部
２  掛け留め部
３  基軸
４  咳止め飴装着軸片
５  飴装着軸片固定部
６  耳掛けループ
７  咳止め飴
【図１】
0003235183.tif 000003
【図２】
0003235183.tif 000004
【図３】
0003235183.tif 000005
【図４】
0003235183.tif 000006
(57)【要約】      （修正有）【課題】自動車に乗降の際に自動的に着脱できるシートベルトを提供する。【解決手段】シートベルト１の両端４、５を支柱２に固定し、前記シートベルトの中間の１点が移動レール３に沿ってスライドして装着する。【選択図】図３
0003235182.tif 000002
【実用新案登録請求の範囲】
【請求項１】
自動車用安全シートベルトにおいてベルトの両端を固定し、ベルトの中間をドアに備え付けたレール間を移動して着脱するところを特徴とするシートベルト。
【考案の詳細な説明】
【技術分野】
【０００１】  本実用新案は自動車において、事故時の安全シートベルトを乗車時自動的に装着するものである。
【背景技術】
【０００２】  自動車に自動で装着する安全シートベルトは少ない。【０００３】  全ての乗り物に自動装着できるシンプルな自動装着安全シートベルトがない。
【考案の概要】
【考案が解決しようとする課題】
【０００４】  １、乗車時にシートベルトが自動装着される。
２、乗降車はシートベルトが自動解放される。
３、装着に違和感がない。
４、運転席、助手席、後部座席に装着可能。
【課題を解決するための手段】
【０００５】  自動車に乗降の際シートベルトが自動で着脱できれば上記課題は解決する。
【考案の効果】
【０００６】１、乗車の際、手動でシートベルトを装着する手間が省ける。
２、シートベルトの装着忘れがない。
３、乗車人員のシートベルトの装着を確認する手間を省く効果がある。
４、運転席、助手席および後部座席の左右に設置できる。
５、ベルトが常に伸びきった状態にありベルトのこすれ劣化が軽減される。
【図面の簡単な説明】
【図１】は乗車時のシートベルトの装着図面である。
【図２】は降車時のシートベルトの解放図面である。
【図３】は正面図でシードベルトの装着図面である。
【図４】はドアに取り付けたスライドレールである。
【考案を実施するための最良の形態】
【０００７】１、最も簡単でシンプルなシートベルトが望ましい。
２、新車製造過程で全車種に取り付ける事が望ましい。
３、電装品としてもっと進化することが望ましい。【０００８】  以下、添付図面に従って実施例を説明する。
［図１］は乗車時のシートベルトの装着図面である。乗車を完了してドアを閉めた時点でシートベルトの中間点が図４のドアに取り付けたガイドレールの６地点から７地点に移動してシートベルトの固定が完了する。
［図２］は降車時のシートベルトの解放図面である。ドアを開くとシートベルトの中間点が７から６に移動して降車ができる。
［図３］は正面図でシードベルトの装着図面である。シートベルトの両端は座席の横の支柱４、５の位置に繰り出し可能状態で固定されている図面である。
［図４］はドアに取り付けたスライドレールであり、乗車時はシートベルトの中間点が６にあり乗り込みはスムーズにできる。乗車後ドアを閉めたときシートベルトの中間点は７に移動して固定する。
【産業上の利用可能性】
【０００９】１、全ての自動車の安全シートベルトが自動で装着でき、万一事故時の安全性の向上を図ることができる。
２、シンプル構造でベルトの装着感を緩めるベルトの形状を変化可能である。
【符号の説明】１はシートベルト。
２はシートベルト両端点を固定する支柱。
３はドアにはめ込んだシートベルト移動用レール。
４はシートベルト肩側端点
５はシートベルト腰側端点
６はシートベルト解放時の支点
７はシートベルト固定時の支点
【図１】
0003235182.tif 000003
【図２】
0003235182.tif 000004
【図３】
0003235182.tif 000005
【図４】
0003235182.tif 000006
(57)【要約】      （修正有）【課題】直射日光や雨等が避けられて、両手は自由に使え移動しながらでも日陰等の元で農作業等が出来る器具を提供する。【解決手段】器具は、布を筒状にした本体１と、本体１に取付けたベルト２、３を含み、器具を背負い、市販のビーチパラソルを本体１に刺し入れる。両手が自由に使え、移動しながらでも随時、日陰の元で作業が出来る。【選択図】図１
0003235190.tif 000002
【実用新案登録請求の範囲】
【請求項１】
ビーチパラソルを背中に背負える器具。
【考案の詳細な説明】
【技術分野】
【０００１】本考案は、ビーチパラソルを背負う器具に関するものである。
【背景技術】
【０００２】農作業等において日指しの強い直射日光や雨を身体に直接受けながらの作業であった。
【考案の概要】
【考案が解決しようとする課題】
【０００３】日指しが強かったり、雨の時などは身体に受ける負担が大きく作業が出来なかったり、途中で中断したりせざるを得ない時があり前途の欠点を解決しようとするものである。
【課題を解決するための手段】
【０００４】本考案は、布を筒状にしてその布にベルトを取付け背負った状態でビーチパラソルを日傘、雨傘として使う事で問題を解決するものである。
【考案の効果】
【０００５】普通の傘よりも大きい市販のビーチパラソルを背負う事で、より大きな日陰等にて、身体の全体ちかくを覆える事により、より多くの陰等の元で、草刈等の作業が出来て身体への負担を最小限に。又、当然のごとく背負う事で両手も自由に使う事が出来る。
【図面の簡単な説明】
【０００６】
【図１】本考案のビーチパラソルを背負える布器具の見取り図である。
【符号の説明】
【０００７】１  ビーチパラソルの柄を刺し入れる為の本体
２．肩掛用ベルト
３  腰ベルト
４  ワンタッチバックル
５  アジャスター
６  パイプ縛り紐
【図１】
0003235190.tif 000003
(57)【要約】      （修正有）【課題】煙草代の出費を抑え、紙巻煙草の吸いすぎを防止し、煙草の消し忘れによる火災事故を減少し、消耗するライターを新品に簡単に取り換えができ半永久使用が可能な喫煙具を提供する。【解決手段】本考案は火消し用パイプ１と、ライターを簡単に取替できる収納ポケット２を設けることでこの問題を解決した。【選択図】図４
0003235181.tif 000002
【実用新案登録請求の範囲】
【請求項１】
喫煙具において、火消し用のパイプと、ライターを固定するためのポケットを有し、消耗するライターを取り替え可能にしたところを特徴とする喫煙具
【考案の詳細な説明】
【技術分野】
【０００１】  本実用新案は喫煙具において、火消し用のパイプと、ライターを固定するためのポケットを有し、消耗するライターを取り替え可能にしたところを特徴とする携帯喫煙具である。
【背景技術】
【０００２】  喫煙具において、火消し用のパイプと消耗するライターを取り替え可能にしたところを特徴とする携帯喫煙具はない。【０００３】  インターネットでこの種の喫煙具を検索しても本案のような喫煙具は見あたらない。
【考案の概要】
【考案が解決しようとする課題】
【０００４】  １、喫煙具において、火消し用のパイプと、ライターを固定するためのポケットを有し、消耗するライターを取り替え可能にしたところを特徴とする携帯喫煙具はない。
２、火消し用のパイプとライターが一体の携帯喫煙具ができれば便利に使える。
３、消耗品のライターは簡単に取り換えできるものがいい。
４、煙草の火の消し忘れによる火災が年間数件報道されている。
５、煙草の吸いすぎによる喉の炎症が少なくない。
６、煙草代を節約したいけどやめられない。
７、ストレスなく生きるためできれば本物の紙巻煙草を吸いたい。
８、煙草の値段が高い。できれば半額以下の出費に抑えたい。
９、数秒で消せる喫煙具があればいい。
【課題を解決するための手段】
【０００５】  火のついた煙草を数秒で消すことができる火消し用パイプとライターを簡単に脱着するポケットが一体にできれば上記課題は解決する。
【考案の効果】
【０００６】  １、煙草を吸う際、一発消火できるパイプとライターが一体化し、消耗するライターを取り替えられる携帯喫煙具があれば便利だ。
２、消耗品のライターは簡単に取り換えできるものがいい。
３、吸いかけの煙草を放置しないので火の消し忘れによる火災を防ぐ効果がある
４、煙草の火を途中で瞬時に消すので吸いすぎを無くし喉の炎症が減少する。
５、消した煙草にもう一度点火すれば煙草代を節約できる。
６、身心の求めるまま本物の紙巻煙草を何回も吸える。
７、煙草代の出費を抑えることができる。
８、数秒で煙草の火を消し吸殻を放置しないため火災事故を減らせる。
９、昔のキセル煙草のように数回吸って消すと漢方薬の効果が期待できる。
【図面の簡単な説明】
【図１】は火消しパイプとライター収納部の正面図である。
【図２】は火消しパイプとライター収納部の側面図である。
【図３】は火消しパイプとライター収納部の底面図である。
【図４】は火消しパイプとライター収納部の鳥瞰図である。
【考案を実施するための最良の形態】
【０００７】  耐熱樹脂の押出成形で大量生産し安価に提供することが最良と考える。【０００８】  当面自宅で手作り制作しインターネットで出品販売決済する。
【実施例１】
【０００９】  以下、添付図面に従って実施例を説明する。［図１］〜［図４］の１は火消しパイプ。２はライター収納ポケット、３は、パイプの詰まりを除去する穴
【実施例２】
【００１０】  ［図２］当初は内径８．５ｍｍアルミパイプとブリキ製ケースを固定して制作した。
【実施例３】
【００１１】  耐熱樹脂の押出成形で大量生産が望ましい。
【産業上の利用可能性】
【００１２】１、世界中で煙草の需要は人口の２割程度と推定すると、世界人口８０億の２割、１６億個の需要が見込まれる
２、煙草の吸いすぎによる喉の炎症が減少する。
３、煙草を完全に消火できなくて発生する火災事故を減少できる。
４、身心の求めるまま本物の紙巻煙草を何回も吸える。
５、煙草代を半額以下の出費に抑えられる。
【符号の説明】１は煙草の火消しパイプ
２はライター収納ケース
３はパイプの詰まりを除去する穴
【図１】
0003235181.tif 000003
【図２】
0003235181.tif 000004
【図３】
0003235181.tif 000005
【図４】
0003235181.tif 000006